(57)【特許請求の範囲】
【請求項１】
ラジオ放送を受信するラジオ受信手段と、
前記受信したラジオ放送の音声データを記録するデータ記録手段と、
前記データ記録手段に記録されている音声データを音声出力する音声出力手段と、
前記データ記録手段に記録されている音声データからナレーション音声に該当する音声データを判定する音声データ判定手段と、
前記音声出力手段の音声出力に対する中断／再開の指示を入力する指示入力手段と、
前記指示入力手段へ中断の指示が入力された場合、前記音声出力手段がナレーション音声を出力中であれば、中断時点より前の音声データ中の区切り位置を検出する区切り位置検出手段と、
前記ナレーション音声出力の中断後、前記指示入力手段へ再開の指示が入力されると、前記音声出力手段が前記音声データの区切り位置から音声出力を再開することを特徴とする音声再生装置。
【請求項２】
前記音声出力手段は、前記指示入力手段による再開指示を受けて、前記データ記録手段に記録されている音声データを音声出力するときに、前記ラジオ受信手段が現在受信している放送に追いつくまでは、再生速度を速めて出力することを特徴とする請求項１に記載の音声再生装置。
【請求項３】
データ多重放送又はインターネットからテキストデータを受信するデータ取得手段と、
前記受信したテキストデータを記録するデータ記録手段と、
前記記録したテキストデータの区切り位置を検出する区切り判断手段と、
携帯電話又はナビゲーション装置が発生するイベント音声を取得してイベント音声データとして中断／再開指示部へ出力するイベント音声入力手段と、
前記データ記録手段に記録されているテキストデータを音声合成した音声又は前記イベント音声データを変換した音声の何れかを出力する音声出力手段と、
前記イベント音声入力手段がイベント音声データを出力したときに、前記音声出力手段にテキストデータの音声合成出力を中断させて、前記イベント音声入力手段から入力したイベント音声データを前記音声出力手段へ出力することによりイベント音声を出力させ、イベント音声が終了したときに、前記音声出力手段に前記中断時点より前の前記テキストデータ中の区切り位置からテキストデータの音声合成出力を再開させる中断／再開指示手段と、
を備えたことを特徴とする音声再生装置。
【発明の詳細な説明】
【０００１】
【発明の属する技術分野】
本発明は、音声再生装置に関する。
【０００２】
【従来の技術】
従来、ラジオ放送の音声データをリングメモリによって所定時間前の古い信号に代えて順次記録し、再生要求があったときには、放送内容を引き続き記録していきながらもそれまでに記録している放送内容を再生していき、再生要求があった時点以降の放送内容については、現在の放送に追いつくまでは記録内容を早送りで再生し、現在の放送に思いついたところで通常の速さの再生に戻す機能を備えた音声再生装置として、例えば特開平８‐１６２９８１号公報に記載されたものが知られている。
【０００３】
この従来の音声再生装置によれば、ドライバーが聞き逃した放送部分を再聴することができ、しかも再聴指示後の放送内容についても聞き逃しがないようにできる利点がある。
【０００４】
【発明が解決しようとする課題】
しかしながら、この従来の音声再生装置では、再生指示があった時点でリングメモリの最初から記録内容を読み出して音声出力するので、必ずしも区切りの良いところから再生されるわけではなく、そのために中断前に放送された内容を覚えていないと内容が不明確になってしまい、ユーザーに不快感を与えることがある問題点があった。
【０００５】
本発明は、このような従来の問題点に鑑みてなされたものであって、聞き逃した部分から再生するのではなく、区切りの良いところから再生することにより、ユーザーが中断前の内容を覚えていなくても再生出力される内容についていくことができる音声再生装置を提供することを目的とする。
【０００６】
【課題を解決するための手段】
請求項１の発明は、ラジオ放送を受信するラジオ受信手段と、前記受信したラジオ放送の音声データを記録するデータ記録手段と、前記データ記録手段に記録されている音声データを音声出力する音声出力手段と、前記データ記録手段に記録されている音声データからナレーション音声に該当する音声データを判定する音声データ判定手段と、前記音声出力手段の音声出力に対する中断／再開の指示を入力する指示入力手段と、前記指示入力手段へ中断の指示が入力された場合、前記音声出力手段がナレーション音声を出力中であれば、中断時点より前の音声データ中の区切り位置を検出する区切り位置検出手段と、前記ナレーション音声出力の中断後、前記指示入力手段へ再開の指示が入力されると、前記音声出力手段が前記音声データの区切り位置から音声出力を再開することを特徴とする音声再生装置である。
【０００９】
請求項２の発明は、請求項１の音声再生装置において、前記音声出力手段が、前記指示入力手段による再開指示を受けて前記データ記録手段に記録されているデータを前記区切り位置から音声にして出力する際に、前記ラジオ受信手段が現在受信している放送に追いつくまでは再生速度を速めて出力することを特徴とするものである。
【００１０】
請求項３の発明は、データ多重放送又はインターネットからテキストデータを受信するデータ取得手段と、前記受信したテキストデータを記録するデータ記録手段と、前記記録したテキストデータの区切り位置を検出する区切り判断手段と、携帯電話又はナビゲーション装置が発生するイベント音声を取得してイベント音声データとして中断／再開指示部へ出力するイベント音声入力手段と、前記データ記録手段に記録されているテキストデータを音声合成した音声又は前記イベント音声データを変換した音声の何れかを出力する音声出力手段と、前記イベント音声入力手段がイベント音声データを出力したときに、前記音声出力手段にテキストデータの音声合成出力を中断させて、前記イベント音声入力手段から入力したイベント音声データを前記音声出力手段へ出力することによりイベント音声を出力させ、イベント音声が終了したときに、前記音声出力手段に前記中断時点より前の前記テキストデータ中の区切り位置からテキストデータの音声合成出力を再開させる中断／再開指示手段と、を備えたことを特徴とする音声再生装置である。
【００１２】
【発明の効果】
請求項１の発明の音声再生装置では、ラジオ受信手段が受信した放送の音声データをデータ記録手段が記録し、記録されている音声データの内容から音声データ判定手段がナレーション音声に該当する音声データを判定する。一方、音声出力手段がデータ記録手段に記録されている音声データを音声にして出力する。そして音声出力手段がナレーション音声を出力中に、指示入力手段に対して中断の指示が入力された場合、区切り位置検出手段が中断時点より前の音声データ中の区切り位置を検出し、指示入力手段による再開指示に対して、区切り位置から音声出力を再開する。
【００１３】
これにより、ナレーション音声出力の中断の後にその音声出力を再開する場合、中断された部分ではなく、区切りの良いところから音声出力を再開することができ、出力されるナレーション音声の内容をユーザーにとって把握しやすいものにすることができる。
【００１６】
請求項２の発明の音声再生装置では、音声出力手段が指示入力手段による再開指示を受けてデータ記録手段に記録されている音声データを区切り位置から音声にして出力する際に、ラジオ受信手段が現在受信している放送に追いつくまでは再生速度を速めて出力するので、ユーザーに対して中断中の放送内容を聴取させることができ、かつ記録されている放送内容を再生させながら現在の放送に追いつくことができる。
【００１７】
請求項３の発明の音声再生装置では、データ取得手段がデータ多重放送又はインターネットからテキストデータを取得してデータ記録手段に記録させ、音声出力手段がこの記録されたテキストデータを音声として出力している最中に、イベント音声が発生すると、テキストデータの音声出力を中断してイベント音声を出力し、イベント音声の出力が終わりテキストデータの音声出力を再開する際に、例えばテキストデータにおける段落部分や項目リストの先頭部分のような区切りの良い部分から音声出力することができ、テキストデータを変換して音声出力される内容をユーザーにとって把握しやすいものにすることができる。
【００１９】
【発明の実施の形態】
以下、本発明の実施の形態を図に基づいて詳説する。図１は本発明の１つの実施の形態の車載用音声再生装置の構成を示している。この実施の形態の音声再生装置は、音声データ取得部１００とメディア切替えスイッチ１０４と起動スイッチ１０５とイベント音声入力部１０６と制御部１０７と中断／再開指示部１１０とスピーカー１１１から構成されている。
【００２０】
音声データ取得部１００はユーザーに聞かせるための音声データを取得する部分で、音声データの音声ソースとしてラジオ受信部１０１、テキストデータ受信部１０２、ＣＤ再生装置１０３の切替えができるようになっている。制御部１０７は、データ保持及び区切り検出部１０８と出力切替え部１０９を備えている。
【００２１】
ラジオ受信部１０１はラジオ放送を受信し、放送電波を音声データに変換してデータ保持及び区切り検出部１０８に出力し、また出力切替え部１０９に出力する。テキストデータ受信部１０２は文字放送局から送られてくる文字放送のテキストデータを受信し、ＴＴＳデータ（Ｔｅｘｔ  Ｔｏ  Ｓｐｅｅｃｈデータ）としてデータ保持及び区切り検出部１０８と出力切替え部１０９に出力する。ＣＤ再生装置１０３は制御部１０７より指定された位置のＣＤの音声データを取得し、データ保持及び区切り検出部１０８と出力切替え部１０９に出力する。
【００２２】
メディア切替えスイッチ１０４は、音声データ取得部１００で取得する音声データの音声ソースを切替えるスイッチであり、ユーザーの操作によって音声データ取得部１００に対して音声ソースの切替え信号を入力する。起動スイッチ１０５は、ユーザーの操作によって起動信号を制御部１０７に出力する。イベント音声入力部１０６は、携帯電話やナビゲーション装置の経路誘導等のイベントで発生する音声を取得し、何らかのイベント音声が発生したなら音声データとして中断／再開指示部１１０に出力する機能を備えている。
【００２３】
制御部１０７は音声データ取得部１００によって選択された音声ソースから音声データを取得して記録すると共に、音声データの再生出力を制御する部分である。
【００２４】
この制御部１０７におけるデータ保持及び区切り検出部１０８は、
○音声データを取得、格納、削除する機能、
○音声データより左右の音圧変動差異より変動の差があるものを「音楽」とし、変動の差が少ないものを「ナレーション」と判定する機能、
○音声データの音楽を周波数解析することにより、人間の声の音声帯域に周波数のパワーが一定以上存在する場合を「声」がある音声部分とし、存在しない場合を「インストリメンタル」の無声部分と判定する機能、
○ＴＴＳデータより所定のタグより段落（例えば、「。」の後にスペースが存在するところ）、文章（例えば、「。」の後に文字が存在するところ）及び項目（例えば、二重丸印、丸星印、四角星印等が存在するところ）を判定する機能、
○音声データより電波受信状態が悪く、放送音声データが取得できなかった場合、その部分を区切りの良いところまで（例えば、ラジオを聴いていて、音楽の部分の入ったときに電波受信感度が悪くなったときには、次のナレーションに入るところまで）削除する機能、
○保持された音声データを音声に変換して出力切替え部１０９を介してスピーカー１１１に出力する機能、
○音声データの格納状態を出力切替え部１０９に出力する機能、
○音声データ取得部１００の音声ソースの再生位置を変更する機能
を備えている。
【００２５】
制御部１０７における出力切替え部１０９は、音声データの入力を音声データ取得部１００とデータ保持及び区切り検出部１０８と中断／再開指示部１１０との間で切替える機能、中断／再開指示部１１０の指示によって上述の切替えを実行する機能、音声データの格納状態より現在の音声データに追いついたかどうか判断する機能、音声データを音声変換し、スピーカー１１１から可聴音にして出力させる機能、そしてスピーカー１１１から出力させる音声の再生速度を変化させる機能を備えている。
【００２６】
中断／再開指示部１１０は、イベント音声入力部１０６によるイベント音声の入力により出力切替え部１０９にイベント音声データを出力する機能と、イベント音声の入力時に出力切替え部１０９の音声データを切替える機能と、イベント音声の入力終了後に出力切替え部１０９の音声データをデータ保持及び区切り検出部１０８に切替える機能、そしてイベント音声の入力終了後にデータ保持及び区切り検出部１０８にイベント音声の入力が終了したことを伝える機能を備えている。
【００２７】
次に、上記の実施の形態の音声再生装置の動作について、図２〜図１２を参照して説明する。図２はデータ保持及び区切り検出部１０８に設けられている音声データ用メモリＭのメモリマップを示している。このメモリＭはリング型メモリであり、所定容量のメモリ空間において古いデータを新しいデータに順次上書きすることにより、常に現在からさかのぼって一定時間前までの音声データを記憶していること特徴としている。すなわち図２において、最新の音声データＳＤ１を取得して記憶する代わりに、最も古い音声データＳＤ２を削除することにより、現在からさかのぼって一定量の音声データを記憶するのである。
【００２８】
次に、図３のフローチャートを用いて本実施の形態の音声再生装置によるシステム処理を説明する。ユーザーによって起動スイッチ１０５が操作されたなら（ステップＳ１００）、システムの初期化を行う（ステップＳ１０１）。このシステムの初期化では、通常モード、ラジオ再生位置＝現在、ＴＴＳ再生位置＝現在を設定する。
【００２９】
続いて、システム起動中にユーザーによってメディア切替えスイッチ１０４が操作された（ステップＳ１０２）、選択操作された音声ソースより音声データを取得するように音声データ取得部１００に信号を送り、音声データ取得部１００は音声ソースを切替える（ステップＳ１０３）。
【００３０】
次に、システム起動中に現在の音声データを取得している音声ソースを判別し（ステップＳ１０４）、判別結果がラジオ受信部１０１ならラジオ音声出力処理（ステップＳ１０５）、ＴＴＳ受信部１０２ならＴＴＳ音声出力処理（ステップＳ１０６）、ＣＤ再生部１０３ならＣＤ音声出力処理（Ｓ１０７）を実行する。
【００３１】
次に、システム起動中にイベント音声入力が発生したなら（ステップＳ１０８）、現在音声データを取得している音声ソースを判別し（ステップＳ１０９）、判別結果がラジオ受信部１０１ならラジオイベント処理（ステップＳ１１０）、ＴＴＳ受信部１０２ならＴＴＳイベント処理（ステップＳ１１１）、ＣＤ再生部１０３ならＣＤイベント処理（ステップＳ１１２）を実行する。
【００３２】
次に、システム起動中に起動スイッチ１０５がＯＦＦ状態になり、あるいはエンジンが停止したなら本システムを終了させる（ステップＳ１１３）。
【００３３】
次に、ステップＳ１０５のラジオ音声出力処理を図４のフローチャートに基づいて説明する。ラジオ受信部１０１によりラジオ放送局からの放送電波を受信して音声データに変換したものデータ保持及び区切り検出部１０８で取得し（ステップＳ２００）、取得した音声データを格納する（ステップＳ２０１）。このときに、受信感度が低いときにはその部分の音声データは記憶しない。また取得した音声データを格納する際には、前回の音声データが存在するときには、前回に記録した部分の続きに格納する。
【００３４】
次に、データ保持及び区切り検出部１０８に格納された音声データをラジオ再生位置より取得し（ステップＳ２０２）、追いかけ再生モードであるときには（ステップＳ２０３）、データ保持及び区切り検出部１０８よりラジオ再生位置の音声データを取得し、出力切替え部１０９により通常より速い速度で音声を再生させてスピーカー１１１より出力させる（ステップＳ２０５）。そしてラジオ再生位置が現在取得した位置と一致したなら、「追いついた」と判定し（Ｓ２０６）、出力切替え部１０９を通常再生モードに切替える（ステップＳ２０６，Ｓ２０７）。
【００３５】
一方、ステップＳ２０３において通常再生モードであると判断した場合、出力切替え部１０９で音声データ取得部１００からの音声データに切替えてスピーカー１１１から放送音声を出力させる（ステップＳ２０４）。そして図２に示したようにラジオ再生位置より所定の時間が過ぎた音声データをメモリＭから削除する（ステップＳ２０８）。
【００３６】
次に、ＴＴＳ音声出力処理を図５のフローチャートに基づいて説明する。ＴＴＳ受信部１０２により文字放送局から送られてきた文字放送のテキストデータを受信してＴＴＳデータとしてデータ保持及び区切り検出部１０８に取得させ（ステップＳ３００）、取得したＴＴＳデータを格納する（ステップＳ３０１）。このＴＴＳデータを格納する際には、前回取得したＴＴＳデータが格納されているときには、その前回に格納した部分の続きに格納する。
【００３７】
次に、ＴＴＳ再生位置のＴＴＳデータを取得し（ステップＳ３０２）、出力切替え部１０９でこのＴＴＳデータを音声合成技術によって音声に変換し（ステップＳ３０３）、スピーカー１１１によって可聴音にして出力させる（ステップＳ３０４）。このとき、図２に示すように、ＴＴＳ再生位置を現在取得した位置までずらす。そして、ＴＴＳデータの読み上げで読み終えた項目のデータを削除する（ステップＳ３０５）。
【００３８】
次に、ＣＤ音声出力処理を図６のフローチャートに基づいて説明する。ＣＤ再生部１０３よりＣＤ再生位置のＣＤの音声データを出力切替え部１０９で取得し（ステップＳ４００）、取得した音声データを音声に変換してスピーカー１１１より出力させる（ステップＳ４０１）。
【００３９】
図３に示したメイン処理のフローチャートにおけるステップＳ１１０のラジオイベント処理を、図７のフローチャートに基づいて説明する。まず、ラジオ受信部１０１よりラジオ放送局から送られてくる放送電波より音声データに変換したものデータ保持及び区切り検出部１０８で取得し（ステップＳ５００）、取得した音声データを格納する（ステップＳ５０１）。この取得した音声データを格納する際に、前回の音声データが存在するときにはその前回に記録した部分の続きに格納する。
【００４０】
次に、イベント音声入力部１０６よりイベント音声が入力されると、中断／再開指示部１１０でイベント音声入力部１０６より入力音声データを取得し、出力切替え部１０９の音声データの入力を中断／再開指示部１１０側に切替え、中断／再開指示部１１０からの音声データを入力し（ステップＳ５０２）、この音声データを音声に変換してスピーカー１１１から出力する（ステップＳ５０３）。
【００４１】
このイベント音声の出力の間、それまで記憶させたラジオ放送の音声のスピーカー１１１からの出力は一時的に中断されるが、ラジオ放送の音声データそのものは継続してデータ保持及び区切り検出部１０８に取得され、格納されている。
【００４２】
次に、イベント音声の出力が終了したなら（ステップＳ５０４）、中断／再開指示部１１０よりイベント終了の信号がデータ保持及び区切り検出部１０８に出力され、ラジオ再生位置変更処理を実行してラジオ再生位置を変更し（ステップＳ５０５）、追いかけ再生モードにする（ステップＳ５０６）。なおラジオ再生位置変更処理については後述する。
【００４３】
次に、図３のメイン処理のフローチャートにおけるステップＳ１１１のＴＴＳイベント処理について、図８のフローチャートに基づいて説明する。まず、ＴＴＳ受信部１０２より文字放送局から送られてきた文字放送のテキストデータをＴＴＳデータとしてデータ保持及び区切り検出部１０８より取得し（ステップＳ６００）、取得したＴＴＳデータを格納する（ステップＳ６０１）。この取得したＴＴＳデータを格納する際は、前回格納したＴＴＳデータが存在するときにはその部分の続きに格納する。
【００４４】
次に、イベント音声入力部１０６よりイベント音声の入力があったなら、中断／再開指示部１１０でイベント音声入力部１０６より音声データを取得し、出力切替え部１０９の音声データの入力を中断／再開指示部１１０側に切替え、中断／再開指示部１１０の音声データを入力切替え部１０９に入力し、スピーカー１１１より出力する（ステップＳ６０２，Ｓ６０３）。そしてイベント音声の入力が終了したなら（ステップＳ６０４）、中断／再開指示部１１０よりイベント終了の信号をデータ保持及び区切り検出部１０８に出力し、ＴＴＳ再生位置変更処理を実行してＴＴＳ再生位置を変更する（ステップＳ６０５）。
【００４５】
次に、図３のメイン処理のフローチャートにおけるステップＳ１１２のＣＤイベント処理について、図９に示すフローチャートに基づいて説明する。まずイベント音声入力部２０６よりイベント音声の入力が発生したなら、中断／再開指示部１１０はイベント音声入力部より音声データを取得し、出力切替え部１０９の音声データの入力を中断／再開指示部１１０側に切替え、中断／再開指示部１１０からの入力音声データを出力切替え部１０９に入力し（ステップＳ７００）、この音声データを音声に変換してスピーカー１１１より出力させる（ステップＳ７０１）。次に、イベント音声が終了したなら（ステップＳ７０２）、中断／再開指示部１１０よりイベント終了の信号をデータ保持及び区切り検出部１０８に出力し、ＣＤ再生位置変更処理を実行してＣＤ再生位置を変更する（ステップＳ７０３）。
【００４６】
以下、図１０〜図１２のフローチャートに基づき、上述したラジオ再生位置変更処理、ＴＴＳ再生位置変更処理、ＣＤ再生位置変更処理それぞれついて説明する。
【００４７】
まず、図７のラジオイベント処理のフローチャートにおけるステップＳ５０５のラジオ再生位置変更処理は、図１０のフローチャートに示すような処理である。このラジオ再生位置変更処理に入るとまず、データ保持及び区切り検出部１０８に格納されている音声データを取得し、イベント音声が発生したときに取得していた音声が音楽であるのかナレーションであるのかを判定し（ステップＳ８０１）、イベント音声が発生したときの音声が音楽であったときには、デジタル配信の音楽ではなく、アナログの放送音楽であったなら、ラジオ再生位置を「曲の始めから」とする（ステップＳ８１０）。
【００４８】
ステップＳ８０２において、デジタル配信の音楽であり、曲の途中であったなら、ラジオ再生位置を「曲の切れ目の良いところ（例えば、１曲目を流している途中であれば１曲目の最初から、２曲目を流している途中であれば２曲目の最初から）」とする（ステップＳ８１１）。
【００４９】
ステップＳ８０２において、デジタル配信の音楽で、インストリメンタルに入ったなら、ラジオ再生位置を「次の切れ目（例えば、１曲目と２曲目の間のインストリメンタルだったら、２曲目にする）」にし、あるいは、まだ受信していないときには、「曲の始めから」にする（ステップＳ８１２）。
【００５０】
さらにステップＳ８０２において、デジタル配信の音楽で、曲の終了間際で声があるときには「次の切れ目（例えば、１曲目の終了間際なら、２曲目の先頭から）」にし、あるいは、まだ受信していないときには「曲の始めから」とする（ステップＳ８１３）。
【００５１】
次に、ステップＳ８０１において、イベント音声が発生した時の受信放送の音声データがナレーションであったときには（ステップＳ８０３）、イベント音声が発生した時の音声データより所定時間前までの間に無音部分が存在するならば、ラジオ再生位置を「所定時間前の無音部分から」とする（ステップＳ８２０）。
【００５２】
ステップＳ８０３において、イベント音声発生した時の音声データより所定時間前までの間に音楽とナレーション部分の変わり目が存在するときには、ラジオ再生位置を「音楽とナレーション部分の変わり目から」とする（ステップＳ８２１）。さらに、ステップＳ８０３において、デジタル配信の音声データで、イベント音声が発生した時の音声データより所定時間前までの間に区切り（例えば、コマーシャル、番組の始め）が存在するとき、ラジオ再生位置を「区切りの良いところから」とする。例えば、コマーシャルの後から、あるいは次の番組からとするのである（ステップＳ８２２）。
【００５３】
次に、図８のＴＴＳイベント処理のフローチャートにおけるステップＳ６０５のＴＴＳ再生位置変更処理は、図１１のフローチャートに示すような処理である。このＴＴＳ再生位置変更処理に入るとまず、データ保持及び区切り検出部１０８のメモリＭに格納されているＴＴＳデータを取得し、イベント音声が発生したところから基準にＴＴＳデータを解析し（ステップＳ９０１）、所定字数前に段落及び項目の切れ目がない場合にはＴＴＳ再生位置を「文書の始めから」にする（ステップＳ９１０）。このステップＳ９０１において、所定字数前に段落の切れ目があるときには、ＴＴＳ再生位置を「段落の始めから」にする（ステップＳ９１１）。そしてステップＳ９０１の解析において、所定字数前に項目の切れ目があるときには、ＴＴＳ再生位置を「項目の始めから」にする（ステップＳ９１２）。
【００５４】
次に、図９のＣＤイベント処理のフローチャートにおけるステップＳ７０３のＣＤ再生位置変更処理は、図１２のフローチャートに示すような処理である。このＣＤ再生位置変更処理に入るとまず、ＣＤ再生部１０３より現在再生している曲の音声データを取得し、イベント音声が発生したところを基準に音声データ（この場合には、音声データとなる）を解析し（ステップＳ１００１）、曲の途中であったならＣＤ再生位置を「曲の切れ目の良いところ（例えば、１曲目を再生している途中であれば１曲目の最初から、２曲目を再生している途中であれば２曲目の最初から）」とする（ステップＳ１０１０）。
【００５５】
ステップＳ１００１において、インストリメンタルに入ったなら「次の切れ目（例えば、１曲目と２曲目との間のインストリメンタルだったら２曲目から）」にする（ステップＳ１０１１）。さらにステップＳ１００１において、曲の終了間際で声があるときには、ＣＤ再生位置を「次の切れ目（例えば、１曲目の終了間際なら２曲目の先頭から）」にする（ステップＳ１０１２）。
【００５６】
このようにして、本実施の形態の音声再生装置では、放送音声、ＴＴＳ音声あるいはＣＤ音声の再生中にイベント音声が発生し、もとの音声ソースの音声出力が中断され、イベント音声の終了後に中断された音声ソースの音声出力を再開する場合、中断されたところから再開するのではなく、区切りの良いところから再開するようにしているため、ユーザーが音声中断前に出力されていた音声内容を覚えてなくても違和感なく再開後の音声を聞くことができる。また中断前の音声がラジオ放送の音声であった場合に、その放送内容が音楽かナレーションかを判断し、それぞれの場合に応じて中断後の再開を区切りの良いところから行うようにしているので、ユーザーが不快感を覚えることがなく、また放送内容を明確に理解させることができる。
【００５７】
加えて、ラジオ放送を受信して再生している場合に、受信感度が悪く、再生音質も悪い部分については音声データを格納しないようにしているので、イベント音声の発生により中断が入った後にラジオ放送の出力を再開するときに受信感度が悪かった部分の放送内容を再生出力することがなく、ユーザーが不快感を抱くことがない。
【００５８】
さらに加えて、ラジオ放送を出力している場合や文字放送を受信してＴＴＳデータを作成し、音声合成により出力している場合に、イベント音声の発生のために放送出力を中断し、その後に再開したときには、中断後の音声データについては早送り再生するようにしたので、中断中の放送内容を聞きながらも現在の放送まで追いつくことができる。
【図面の簡単な説明】
【図１】本発明の１つの実施の形態の構成を示すブロック図。
【図２】上記の実施の形態におけるデータ保持及び区切り検出部の音声データメモリのデータマップ。
【図３】上記の実施の形態による音声再生処理のフローチャート。
【図４】上記の音声再生処理におけるラジオ音声出力処理のフローチャート。
【図５】上記の音声再生処理におけるＴＴＳ音声出力処理のフローチャート。
【図６】上記の音声再生処理におけるＣＤ音声出力処理のフローチャート。
【図７】上記の音声再生処理におけるラジオイベント処理のフローチャート。
【図８】上記の音声再生処理におけるＴＴＳイベント処理のフローチャート。
【図９】上記の音声再生処理におけるＣＤイベント処理のフローチャート。
【図１０】上記のラジオイベント処理におけるラジオ再生位置変更処理のフローチャート。
【図１１】上記のＴＴＳイベント処理におけるＴＴＳ再生位置変更処理のフローチャート。
【図１２】上記のＣＤイベント処理におけるＣＤ再生位置変更処理のフローチャート。
【符号の説明】
１００  音声データ取得部
１０１  ラジオ受信部
１０２  テキストデータ受信部
１０３  ＣＤ再生部
１０４  メディア切替えスイッチ
１０５  起動スイッチ
１０６  イベント音声入力部
１０７  制御部
１０８  データ保持及び区切り検出部
１０９  出力切替え部
１１０  中断／再開指示部
１１１  スピーカー
【図１】
0004091244.tif 000002
【図２】
0004091244.tif 000003
【図３】
0004091244.tif 000004
【図４】
0004091244.tif 000005
【図５】
0004091244.tif 000006
【図６】
0004091244.tif 000007
【図７】
0004091244.tif 000008
【図８】
0004091244.tif 000009
【図９】
0004091244.tif 000010
【図１０】
0004091244.tif 000011
【図１１】
0004091244.tif 000012
【図１２】
0004091244.tif 000013